【事件の表示】
　特願２０１８−６４６１２号「遊技機」拒絶査定不服審判事件〔平成３０年　６月２８日出願公開、特開２０１８−９９５９６号〕について、次のとおり審決する。
【結　論】
　本件審判の請求は、成り立たない。
【理　由】
第１　手続の経緯
　本願は、平成３０年３月２９日の出願であって、同年１１月９日付けで拒絶の理由が通知され、平成３１年１月１５日に意見書及び手続補正書が提出され、同年３月１１日付けで最後の拒絶の理由が通知され、令和１年５月１４日に意見書及び手続補正書が提出されたところ、同年７月９日付け（送達日：同年同月２３日）で同年５月１４日付け手続補正が却下されるとともに拒絶査定がなされ、それに対して、同年１０月２２日に拒絶査定不服審判の請求がなされると同時に手続補正がなされ、これに対し、当審において、令和２年４月２８日付けで拒絶の理由が通知され、同年７月１３日に意見書及び手続補正書が提出され、これに対し、当審において、同年９月１５日付けで最後の拒絶の理由が通知され、同年１１月１８日に意見書及び手続補正書が提出されたものである。
第２　令和２年１１月１８日付けの手続補正についての補正の却下の決定
［補正の却下の決定の結論］
　令和２年１１月１８日付けの手続補正（以下、「本件補正」という。）を却下する。
［理由］
１　補正の内容
　本件補正は、本件補正前の特許請求の範囲、すなわち令和２年７月１３日になされた手続補正（以下、「審理時補正」という。）により補正された特許請求の範囲の請求項１の記載を、以下のとおり、本件補正後の特許請求の範囲の請求項１のものに補正するものである（下線は補正箇所を示す。なお、本件補正後のＡないしＯの符号は合議体により付与されたものである。）。
本件補正前
「【請求項１】
　複数種類の表示演出を実行可能な表示手段を備える遊技機であって、
　前記複数の表示演出のうちの一つの演出として、第１の表示演出をおこなう場合があり、
　前記複数の表示演出のうちの一つの演出として、第２の表示演出をおこなう場合があり、
　前記複数の表示演出のうちの一つの演出として、第３の表示演出をおこなう場合があり、
　前記第１の表示演出は、大当たりを識別するための第１の識別図柄を有する第１の装飾図柄と、大当たりを識別するための第２の識別図柄を有する第２の装飾図柄とを含む複数の装飾図柄を第１の態様で表示する演出であり、
　前記第２の表示演出は、前記複数の装飾図柄を前記第１の態様とは異なる第２の態様で表示する演出であり、
　前記複数の第１の態様の装飾図柄は、前記識別図柄とは異なる第１の特定要素を含み、
　前記第１の態様の第１の装飾図柄と前記第１の態様の第２の装飾図柄では、それぞれ、含まれる前記第１の特定要素の種類が異なり、
　前記複数の第２の態様の装飾図柄は、前記第１の態様の装飾図柄に含まれる前記第１の特定要素と、前記第１の態様に含まれない新たな第２の特定要素とを含み、
　前記第２の特定要素は、少なくとも文字を含む要素で構成され、
　前記第２の態様の第１の装飾図柄と前記第２の態様の第２の装飾図柄では、それぞれ、含まれる前記第２の特定要素の種類が異なり、
　前記第３の表示演出は、装飾図柄を用いたリーチ状態が形成されている場合に、前記リーチ状態を形成する装飾図柄が前記第２の態様のときにおける前記第２の特定要素に含まれる文字を含む画像を用いた演出をおこなう演出であり、
　前記第１の表示演出と前記第２の表示演出と前記第３の表示演出とを含む組み合わせ演出がおこなわれる場合があり、
　前記組み合わせ演出では、同一変動において、前記第１の表示演出の後に、前記第２の表示演出がおこなわれ、その後、前記第３の表示演出がおこなわれる、
　ことを特徴とする遊技機。」
本件補正後
「【請求項１】
Ａ　複数種類の表示演出を実行可能な表示手段を備える遊技機であって、
Ｂ　前記複数の表示演出のうちの一つの演出として、第１の表示演出をおこなう場合があり、
Ｃ　前記複数の表示演出のうちの一つの演出として、第２の表示演出をおこなう場合があり、
Ｄ　前記複数の表示演出のうちの一つの演出として、第３の表示演出をおこなう場合があり、
Ｅ　前記第１の表示演出は、大当たりを識別するための第１の識別図柄を有する第１の装飾図柄と、大当たりを識別するための第２の識別図柄を有する第２の装飾図柄とを含む複数の装飾図柄を第１の態様で表示する演出であり、
Ｆ　前記第２の表示演出は、前記複数の装飾図柄を前記第１の態様とは異なる第２の態様で表示する演出であり、
Ｇ　前記複数の第１の態様の装飾図柄は、前記識別図柄とは異なる第１の特定要素を含み、
Ｈ　前記第１の態様の第１の装飾図柄と前記第１の態様の第２の装飾図柄では、それぞれ、含まれる前記第１の特定要素の種類が異なり、
Ｉ　前記複数の第２の態様の装飾図柄は、前記第１の態様の装飾図柄に含まれる前記第１の特定要素と、前記第１の態様に含まれない新たな第２の特定要素とを含み、
Ｊ　前記第２の特定要素は、少なくとも文字を含む要素で構成され、
Ｋ　前記第２の態様の第１の装飾図柄と前記第２の態様の第２の装飾図柄では、それぞれ、含まれる前記第２の特定要素の種類が異なり、
Ｌ　前記第３の表示演出は、装飾図柄を用いたリーチ状態が形成されている場合に、前記リーチ状態を形成する装飾図柄が前記第２の態様のときにおける前記第２の特定要素に含まれる文字を含む画像を用いた演出をおこなう演出であり、
Ｍ　前記第１の表示演出と前記第２の表示演出と前記第３の表示演出とを含む組み合わせ演出がおこなわれる場合があり、
Ｎ　前記組み合わせ演出では、同一変動において、前記第１の表示演出の後に、前記第２の表示演出がおこなわれ、その後、前記第３の表示演出がおこなわれ、
Ｏ　
前記第３の表示演出では、前記リーチ状態を形成する装飾図柄が前記第２の態様のときにおける前記第２の特定要素に含まれる文字を含む画像を、前記リーチ状態を形成する装飾図柄が表示される表示領域とは異なる領域に表示する、
Ａ　ことを特徴とする遊技機。」
（以下、本件補正後の請求項１に記載された事項によって特定される発明を、「本件補正発明」という。）
２　補正の適否
（１）　補正の目的
　本件補正は、補正前の請求項１に記載した発明を特定するために必要な事項である「第３の表示演出」に関して、「
前記第３の表示演出では、前記リーチ状態を形成する装飾図柄が前記第２の態様のときにおける前記第２の特定要素に含まれる文字を含む画像を、前記リーチ状態を形成する装飾図柄が表示される表示領域とは異なる領域に表示する
　そして、本件補正発明は、補正前の請求項１に係る発明と、産業上の利用分野及び解決しようとする課題が同一であるから、本件補正のうち特許請求の範囲の請求項１についてする補正は、特許法第１７条の２第５項第２号に掲げる「特許請求の範囲の減縮」を目的とする補正に該当する。
（２）　新規事項について
ア　本件補正により限定された構成
　本件補正により、補正前の請求項１に係る発明における第３の表示演出について、「前記第３の表示演出では、前記リーチ状態を形成する装飾図柄が前記第２の態様のときにおける前記第２の特定要素に含まれる文字を含む画像を、前記リーチ状態を形成する装飾図柄が表示される表示領域とは異なる領域に表示する」ことが限定された。
　そこで、上記した「第３の表示演出」について限定されたされた事項が、本願の願書に最初に添付された明細書、特許請求の範囲又は図面（以下、これらを「当初明細書等」という。）に記載された事項の範囲内であるか否かについて検討する。
イ　当初明細書等の記載事項
　当初明細書等には、以下の記載がある（下線は、合議体により付与されたものである。）。
本−ア
「【特許請求の範囲】
【請求項１】
　複数の表示演出を実行可能な表示手段を備える遊技機であって、
　前記複数の表示演出のうちの一つの演出として、第１の表示演出をおこなう場合があり、
　前記複数の表示演出のうちの一つの演出として、第２の表示演出をおこなう場合があり、
　前記第１の表示演出は、装飾図柄を第１の態様で表示する演出であり、
　前記第２の表示演出は、前記装飾図柄を前記第１の態様とは異なる前記第２の態様で表示する演出であり、
　前記第１の態様の装飾図柄は、１つ以上の要素を含み、
　前記第２の態様の装飾図柄は、前記第１の態様の装飾図柄に含まれる要素に加えて、前記第１の態様の装飾図柄にはない新たな要素を含む、
　ことを特徴とする遊技機。
【請求項２】
　請求項１に記載の遊技機であって、
　前記第１の表示演出と前記第２の表示演出とを含む組み合わせ演出がおこなわれる場合があり、
　前記組み合わせ演出では、前記第１の表示演出の後に、前記第２の表示演出がおこなわれる、
　ことを特徴とする遊技機。
【請求項３】
　請求項２に記載の遊技機であって、
　前記第１の表示演出と前記第２の表示演出とを含む組み合わせ演出がおこなわれる場合があり、
　前記組み合わせ演出では、同一変動において、前記第１の表示演出の後に、前記第２の表示演出がおこなわれる、
　ことを特徴とする遊技機。
【請求項４】
　請求項１ないし請求項３までのいずれか一項に記載の遊技機であって、
　前記複数の表示演出のうちの一つの演出として、第３の表示演出をおこなう場合があり、
　前記第３の表示演出は、前記第２の態様の前記装飾図柄に含まれる要素を含む画像とを用いておこなう演出である、
　ことを特徴とする遊技機。
【請求項５】
　請求項１ないし請求項４までのいずれか一項に記載の遊技機であって、
　前記複数の表示演出のうちの一つの演出として、第４の表示演出をおこなう場合があり、
　前記第４の表示演出は、前記装飾図柄を前記第２の態様とは異なる第３の態様で表示する演出であり、
　前記第３の態様の装飾図柄は、前記第２の態様の装飾図柄に含まれる要素に加えて、前記第２の態様の装飾図柄にはない新たな要素を含み、
　前記第１の表示演出と前記第２の表示演出と前記第４の表示演出とを含む組み合わせ演出がおこなわれる場合があり、
　前記組み合わせ演出では、前記第１の表示演出の後に、前記第２の表示演出がおこなわれ、前記第２の表示演出の後に、前記第４の表示演出がおこなわれる、
　ことを特徴とする遊技機。」
本−イ
「【発明を実施するための形態】
【００１５】
＜第１実施形態＞
１．遊技機の構造
　図１は、本発明の一実施形態としての遊技機１の正面図である。以下では、遊技機１の左右方向を、遊技機１に対面する遊技者から見た左右方向に一致させて説明する。また、遊技機１の前方向は、遊技機１から遊技者に向かう方向として説明し、遊技機１の後方向は、遊技者から遊技機１に向かう方向として説明する。
【００１６】
　遊技機１は、遊技者の発射操作に基づいて遊技球を発射させ、特定の入賞装置に遊技球が入賞すると、その入賞に基づいて所定数の遊技球を遊技者に払い出すパチンコ遊技機である。遊技機１は、遊技機枠５０と、遊技盤２とを備え、遊技機枠５０の内側に遊技盤２が取り付けられている。
　・・・。
【００１８】
　遊技盤２は、遊技領域３と、レール部材４と、盤ランプ５と、画像表示装置７と、センター装飾体１０と、固定入賞装置（ヘソ）１９と、普通可変入賞装置（電チュー）２２と、ゲート（スルーチャッカー）２８と、第１大入賞装置（第１アタッカー）３１と、第２大入賞装置（第２アタッカー）３６と、普通入賞口２７と、アウト口１６と、表示器類４０と、を備えている。
　・・・
【００２０】
　
画像表示装置７は、
表示画面７ａを備えている。
画像表示装置７の表示画面７ａ
演出図柄（装飾図柄）８Ｌ、８Ｃ、８Ｒが可変表示（変動表示ともいう）される演出図柄表示領域と、保留画像９Ａ、９Ｂが表示される保留画像表示領域と、保留消化画像９Ｃが表示される保留消化画像表示領域と、を有している。
本−ウ
「【図１】
」
本−エ
「【０２６８】
　［保留対応演出Ｂ］
　図６０は、保留対応演出Ｂを説明するための図である。
　まず、保留対応演出Ｂでは、図６０（Ａ）に示すように、保留表示演出が実行される。この保留表示演出では、保留表示領域Ｃ４１と、キャラクタＣＲＡとが表示される。保留表示領域Ｃ４１には、保留アイコンを表示するための表示領域であり、第１保留アイコン９Ａと第２保留アイコン９Ｃとが表示される。保留表示領域Ｃ４１は、４つの第１保留アイコン９Ａと１つの第２保留アイコン９Ｃとを格納可能に５つに区分されている。なお、保留表示演出では、装飾図柄８Ｌ、８Ｃ、８Ｒが変動中である。なお、この保留表示演出では、第１保留アイコン９Ａ、第２保留アイコン９Ｃの色は、白色となっている。
【０２６９】
　次に、図６０（Ｂ）に示すように、対応領域表示演出が実行される。この対応領域表示演出では、保留表示領域Ｃ４１に対応する保留対応領域Ｃ４２が表示される。保留対応領域Ｃ４２は、保留表示領域Ｃ４１に隣接して設けられ、詳しくは、保留表示領域Ｃ４１の上部に接続して設けられる。保留対応領域Ｃ４２は、保留表示領域Ｃ４１において第１保留アイコン９Ａを格納する４つの区画にそれぞれ対応する４つの領域を備えている。
【０２７０】
　次に、図６０（Ｃ）に示すように、対応領域選択演出が実行される。この対応領域選択演出では、保留対応領域Ｃ４２の４つの領域のうちのいずれかにおいて、複数の演出の選択肢が変動表示される。この選択肢には、保留変化を示唆する表示、今後に発展するリーチ演出を示唆する表示、「激アツ」や「チャンス」などのチャンスアップを示唆する表示、大当たりを示唆する表示などを含んでいる。
【０２７１】
　次に、図６０（Ｄ）に示すように、リーチ示唆演出が実行される。このリーチ示唆演出では、保留対応領域Ｃ４２において対応領域選択演出で変動していた選択肢が停止して、今後に展開するリーチ演出を示唆する表示が行われる。図６０（Ｄ）の例では、リーチ演出を示唆する表示は、「スーパーリーチＡ」と表されており、すなわち、今後に展開するリーチ演出がスーパーリーチ演出であり、スーパーリーチ演出の中のスーパーリーチＡであることが表されている。
【０２７２】
　次に、図６０（Ｅ）に示すように、スーパーリーチ演出が実行される。このスーパーリーチ演出では、味方キャラクタＣＲＡと敵キャラクタＣＲＢとが戦う演出が行われる。このスーパーリーチ演出は、図６０（Ｄ）のリーチ示唆演出が行われた変動とは異なる変動で行われ、具体的には、リーチ示唆演出において、保留対応領域Ｃ４２のリーチ演出を示唆する表示が行われた領域に対応する保留表示領域Ｃ４１の区画にある第１保留アイコン９Ａが当該保留となった変動で行われる。」
本−オ
「【図６０】
」
本−カ
「【０３９５】
　以下に図７４〜図７６を用いて特殊図柄変動演出について説明する。この特殊図柄変動演出は、例えば、特別図柄の変動表示の開始時などに実行され得る。
【０３９６】
　［特殊図柄変動演出Ａ］
　・・・。
【０４００】
　［特殊図柄変動演出Ｂ］
　図７５は、特殊図柄変動演出Ｂを説明するための図である。
　まず、特殊図柄変動演出Ｂでは、図７５（Ａ）に示すように、第１図柄変動演出が実行される。この第１図柄変動演出では、第１特殊装飾図柄８Ｌ，８Ｃ，８Ｒを用いて変動演出が実行される。
【０４０１】
　次に、図７５（Ｂ）に示すように、第１図柄擬似連演出が実行される。この第１図柄擬似連演出は、装飾図柄８Ｌと装飾図柄８Ｒが停止した状態で、装飾図柄８Ｃが擬似連示唆図柄で停止される演出である。装飾図柄８Ｌと装飾図柄８Ｒとは、数字図柄の数字が一つ違う状態となっている。
【０４０２】
　次に、図７５（Ｃ）に示すように、第２図柄変動演出が実行される。この第２図柄変動演出では、数字図柄に見方キャラクタ画像Ｄ４１が付加された第１特殊装飾図柄にさらに見方キャラクタの名前画像Ｄ４２が付加された装飾図柄８Ｌ，８Ｃ，８Ｒを用いて変動演出が実行される。この第１特殊装飾図柄にさらに見方キャラクタの名前画像Ｄ４２が付加された装飾図柄８Ｌ，８Ｃ，８Ｒを、第２特殊装飾図柄８Ｌ，８Ｃ，８Ｒとも呼ぶ。図７５（Ｃ）の名前画像Ｄ４２は、「ＯＡＲＯ」と表されている。第特殊装飾図柄８Ｌ，８Ｃ，８Ｒでは、数字図柄が異なっていてもすべての図柄に名前画像Ｄ４２が付加された状態である。
【０４０３】
　次に、図７５（Ｄ）に示すように、第２図柄擬似連演出が実行される。この第２図柄擬似連演出は、第２特殊装飾図柄８Ｌと第２特殊装飾図柄８Ｒが停止した状態で、装飾図柄８Ｃが擬似連示唆図柄で停止される演出である。第２特殊装飾図柄８Ｌと第２特殊装飾図柄８Ｒとは、数字図柄の数字が一つ違う状態となっている。
　なお、図７５（Ａ）〜（Ｄ）は、同じ変動の演出である。
【０４０４】
　［特殊図柄変動演出Ｃ］
　図７６は、特殊図柄変動演出Ｃを説明するための図である。
　まず、特殊図柄変動演出Ｃでは、図７６（Ａ）に示すように、第１図柄変動演出が実行される。この第１図柄変動演出では、
第３特殊装飾図柄８Ｌ，８Ｃ，８Ｒ
第３特殊装飾図柄８Ｌ，８Ｃ，８Ｒ
数字図柄
キャラクタ画像
付加され
数字図柄ごとに付加されるキャラクタが異なる
数字図柄が７の装飾図柄には、見方キャラクタ画像Ｄ４１が付加され、数字図柄が６の装飾図柄には、敵キャラクタＤ４３が付加される。
【０４０５】
　次に、図７６（Ｂ）に示すように、第１図柄擬似連演出が実行される。この第１図柄擬似連演出は、第３特殊装飾図柄８Ｌと第３特殊装飾図柄８Ｒが停止した状態で、装飾図柄８Ｃが擬似連示唆図柄で停止される演出である。装飾図柄８Ｌと装飾図柄８Ｒとは、数字図柄の数字が一つ違う状態となっている。
【０４０６】
　次に、図７６（Ｃ）に示すように、第２図柄変動演出が実行される。この第２図柄変動演出では、
第４特殊装飾図柄８Ｌ，８Ｃ，８Ｒ
第４特殊装飾図柄８Ｌ，８Ｃ，８Ｒは、数字図柄とキャラクタ画像と名前画像とが付加され、数字図柄ごとに付加されるキャラクタおよび名前画像とが異なる
【０４０７】
　次に、図７６（Ｄ）に示すように、第２図柄擬似連演出が実行される。この第２図柄擬似連演出は、第４特殊装飾図柄８Ｌと第４特殊装飾図柄８Ｒが停止した状態で、装飾図柄８Ｃが擬似連示唆図柄で停止される演出である。第４特殊装飾図柄８Ｌと第４特殊装飾図柄８Ｒとは、数字図柄の数字が一つ違う状態となっている。
　なお、図７６（Ａ）〜（Ｄ）は、同じ変動の演出である。」
本−キ
「【図７６】
」
本−ク
「【０４１５】
　［変形例３］
　
上記実施形態の遊技機１では、特殊図柄変動演出Ａ〜Ｃにおいて、装飾図柄８Ｌ，８Ｃ，８Ｒに含まれる要素を含む画像を用いて所定の演出（例えば、リーチ演出、擬似連演出、チャンスアップ演出、先読み演出、大当たり示唆演出）を行うようにしてもよい。
ウ　本件補正発明の各構成と当初明細書等の記載との関係
（ア）　本件補正発明の構成Ａについて
　本件補正発明の構成Ａの「表示手段」は、【００２０】、図１等に記載された「画像表示装置７」が対応し、「画像表示装置７」は「表示画面７ａを備えて」おり、「演出図柄（装飾図柄）８Ｌ、８Ｃ、８Ｒが可変表示（変動表示ともいう）される演出図柄表示領域と、保留画像９Ａ、９Ｂが表示される保留画像表示領域と、保留消化画像９Ｃが表示される保留消化画像表示領域と、を有している」ものであるから、「複数種類の表示演出を実行可能」なものである。
　してみると、本件補正発明の構成Ａは、当初明細書等に記載されたものである。
（イ）　本件補正発明の構成Ｂ及び構成Ｅについて
　本件補正発明の構成Ｅの「大当たりを識別するための第１の識別図柄」、大当たりを識別するための第２の識別図柄」は、それぞれ、【０４０４】、【０４０５】、及び、図７６（Ａ）、（Ｂ）に記載された「７の数字図柄」、「６の数字図柄」に対応し、本件補正発明の構成Ｅの「大当たりを識別するための第１の識別図柄を有する第１の装飾図柄」、「大当たりを識別するための第２の識別図柄を有する第２の装飾図柄」は、それぞれ、【０４０４】、【０４０５】、及び、図７６（Ａ）、（Ｂ）に記載された「見方キャラクタ画像Ｄ４１が付加され」た「数字図柄が７の装飾図柄」、「敵キャラクタＤ４３が付加され」た「数字図柄が６の装飾図柄」に対応する。
　また、本件補正発明の構成Ｅの「第１の表示演出」は、「装飾図柄を第１の態様で表示する」ことであり、ここにおける「第１の態様で表示」された「装飾図柄」は、【０４０４】、【０４０５】、及び、図７６（Ａ）、（Ｂ）に記載された「数字図柄」に「キャラクタ」が付加された態様である「第３特殊装飾図柄８Ｌ，８Ｃ，８Ｒ」が対応する。
　よって、本件補正発明の構成Ｅの「大当たりを識別するための第１の識別図柄を有する第１の装飾図柄と、大当たりを識別するための第２の識別図柄を有する第２の装飾図柄とを含む複数の装飾図柄を第１の態様で表示する演出であ」る「第１の演出」は、【０４０４】、【０４０５】、及び、図７６（Ａ）、（Ｂ）に記載された、「第３特殊装飾図柄８Ｌ，８Ｃ，８Ｒ」である「見方キャラクタ画像Ｄ４１が付加され」た「数字図柄が７の装飾図柄」と、「敵キャラクタＤ４３が付加され」た「数字図柄が６の装飾図柄」を表示する演出に対応する。
　また、本件補正発明の構成Ｂに関して、図７６に図示された７ａは、【００２０】、図１を参照すると、「画像表示装置７の表示画面７ａ」であるから、上記「第１の表示演出」は、「画像表示装置７の表示画面７ａ」で行われていると認められる。
　してみると、本件補正発明の構成Ｂ及び構成Ｅは、当初明細書等に記載されたものである。
（ウ）　本件補正発明の構成Ｃ、構成ＦないしＫについて
　本件補正発明の構成Ｇの「複数の第１の態様の装飾図柄」が「含」む「識別図柄とは異なる第１の特定要素」は、【０４０４】、【０４０５】、及び、図７６（Ａ）、（Ｂ）に記載された「数字図柄」に「付加され」た「キャラクタ画像」に対応する。
　本件補正発明の構成Ｈの「前記第１の態様の第１の装飾図柄と前記第１の態様の第２の装飾図柄では、それぞれ、含まれる前記第１の特定要素の種類が異な」ることは、【０４０４】、【０４０５】、及び、図７６（Ａ）、（Ｂ）に記載された「第３特殊装飾図柄８Ｌ，８Ｃ，８Ｒ」の「数字図柄が７の装飾図柄」に「付加され」た「見方キャラクタ画像Ｄ４１」と、「数字図柄が６の装飾図柄」に「付加され」た「敵キャラクタＤ４３」とが異なることに対応する。
　本件補正発明の構成Ｉ及び構成Ｊの「第１の態様に含まれない」「少なくとも文字を含む要素で構成され」る「第２の特定要素」は、【０４０６】、【０４０７】、及び、図７６（Ｃ）、（Ｄ）に記載された「名前画像」に対応し、本件補正発明の構成Ｉの「前記第１の態様の装飾図柄に含まれる前記第１の特定要素」は、【０４０６】、【０４０７】、及び、図７６（Ｃ）、（Ｄ）に記載された「キャラクタ画像」に対応する。
　そして、本件補正発明の構成Ｆにおける「第２の表示演出」は「複数の装飾図柄を前記第１の態様とは異なる第２の態様で表示する演出であり」、ここにおいて、「第２の態様の装飾図柄」は、本件補正発明の構成Ｉ、構成Ｊ及び構成Ｋにおいて特定された、「装飾図柄」が「前記第１の態様の装飾図柄に含まれる前記第１の特定要素と、前記第１の態様に含まれない新たな第２の特定要素とを含み、」「前記第２の特定要素は、少なくとも文字を含む要素で構成され」、「第１の装飾図柄と前記第２の態様の第２の装飾図柄では、それぞれ、含まれる前記第２の特定要素の種類が異な」るものであるから、「第２の態様の装飾図柄」は、【０４０６】、【０４０７】、及び、図７６（Ｃ）、（Ｄ）に記載された、「数字図柄とキャラクタ画像と名前画像とが付加され、数字図柄ごとに付加されるキャラクタおよび名前画像とが異なる」「第４特殊装飾図柄８Ｌ，８Ｃ，８Ｒ」に対応し、「第２の表示演出」は、前記「第４特殊装飾図柄８Ｌ，８Ｃ，８Ｒ」を表示する演出に対応する。
　また、本件補正発明の構成Ｃに関して、図７６に図示された７ａは、【００２０】、図１を参照すると、「画像表示装置７の表示画面７ａ」であるから、上記「第２の表示演出」は、「画像表示装置７の表示画面７ａ」で行われていると認められる。
　してみると、本件補正発明の構成Ｃ及び構成ＦないしＫは、当初明細書等に記載されたものである。
（エ）　本件補正発明の構成Ｄ及び構成Ｌについて
　本件補正発明の構成Ｌにおける「第３の表示演出」は、「装飾図柄を用いたリーチ状態が形成されている場合に、前記リーチ状態を形成する装飾図柄が前記第２の態様のときにおける前記第２の特定要素に含まれる文字を含む画像を用いた演出をおこなう演出」であるが、当初明細書等には、「第２の特定要素に含まれる文字を含む画像」を含む「装飾図柄」を用いて「リーチ状態」を形成する場合の演出について、直接的な記載はされてはいないものの、【０４１５】に「上記実施形態の遊技機１では、特殊図柄変動演出Ａ〜Ｃにおいて、装飾図柄８Ｌ，８Ｃ，８Ｒに含まれる要素を含む画像を用いて所定の演出（例えば、リーチ演出、擬似連演出、チャンスアップ演出、先読み演出、大当たり示唆演出）を行うようにしてもよい。」との記載があり、【０４１５】において「装飾図柄８Ｌ，８Ｃ，８Ｒに含まれる要素を含む画像」という場合には、上記（ウ）においてすでに検討した「特殊図柄変動演出Ｃ」（【０４０４】参照）に関する記載である、「数字図柄とキャラクタ画像と名前画像とが付加され、数字図柄ごとに付加されるキャラクタおよび名前画像とが異なる」「第４特殊装飾図柄８Ｌ，８Ｃ，８Ｒ」（【０４０６】、【０４０７】、及び、図７６（Ｃ）、（Ｄ））の記載から、本件補正発明の構成Ｌにおける「第２の特定要素に含まれる文字を含む画像」も含まれると認められる。
　そして、本件補正発明の構成Ｌにおいて「第２の特定要素に含まれる文字を含む画像を用いた演出」という場合、単純に第２の特定要素に含まれる文字を含む画像が付加された複数の装飾図柄がリーチ状態を形成して表示される演出も想定され、そのような演出は、当初明細書等に直接的な記載が無かったとしても、当初明細書等の【０４０４】ないし【０４０７】、【０４１５】、図７６等の記載から自明の範囲内のものといえる。
　また、本件補正発明の構成Ｄに関して、「第３の表示演出」も「画像表示装置７の表示画面７ａ」において行われることは明らかであるから、本件補正発明の構成Ｄも、当初明細書等の記載から自明の範囲内のものといえる。
　よって、本件補正発明の構成Ｄ及び構成Ｌは、当初明細書等の記載から自明の範囲内のものといえる。
（オ）　本件補正発明の構成Ｍ及び構成Ｎについて
　本件補正発明の構成Ｍ及び構成Ｎにおける「第１の表示演出」、「第２の表示演出」は、それぞれ、当初明細書等の【０４０４】、【０４０５】及び図７６（Ａ）、（Ｂ）、同【０４０６】、【０４０７】及び図７６（Ｃ）、（Ｄ）にそれぞれ記載されていると認められ、「第１の表示演出」に続いて「第２の表示演出」が行われることも、同【０４０４】ないし【０４０７】、【０４１５】及び図７６に記載されている。
　また、上記（エ）において指摘したように、「第３の表示演出」は当初明細書等に直接的には記載されていないが、リーチ状態が、装飾図柄の変動表示における最終局面において行われることは、当業者にとって明らかな事項であることから、「装飾図柄を用いたリーチ状態が形成されている場合」の演出である「第３の表示演出」が、「第２の表示演出」の後に続くものであることは、当初明細書等の記載から自明の範囲内のものといえる。
　よって、本件補正発明の構成Ｍ及び構成Ｎは、当初明細書等の記載から自明の範囲内のものといえる。
（カ）　本件補正発明の構成Ｏについて
　本件補正発明の構成Ｏについて検討すると、上記（エ）において検討したように「第３の表示演出」は、当初明細書等に直接的に記載はされていないが、【０４１５】に「装飾図柄８Ｌ，８Ｃ，８Ｒに含まれる要素を含む画像を用いて所定の演出（例えば、リーチ演出、擬似連演出、チャンスアップ演出、先読み演出、大当たり示唆演出）を行うようにしてもよい。」と記載されていることから、リーチ演出として、「前記リーチ状態を形成する装飾図柄が前記第２の態様のときにおける前記第２の特定要素に含まれる文字を含む画像」を表示する演出を行う点までは当初明細書等の記載から自明の範囲内であるといえる。
　しかしながら、本件補正発明の構成Ｏにおける「第２の特定要素に含まれる文字を含む画像を、」「リーチ状態を形成する装飾図柄が表示される表示領域とは異なる領域に表示する」点は、【０４０４】ないし【０４０７】、図７６には記載されておらず、また、【０４１５】の記載においても、「第２の特定要素に含まれる文字を含む画像を、」「リーチ状態を形成する装飾図柄が表示される表示領域とは異なる領域に表示する」点は示唆されていない。
　さらに、当初明細書等の他の段落及び図面においても、第１の表示演出、第２の表示演出に続いておこなわれる第３の表示演出において、名前画像である「文字を含む画像を、」「リーチ状態を形成する装飾図柄が表示される表示領域とは異なる領域に表示する」構成は記載されておらず、その構成が、当初明細書等の記載から自明の範囲内であるという根拠も見いだせない。
　してみると、本件補正発明の構成Ｏは当初明細書等に記載されたものではなく、当初明細書等の記載から自明の範囲内のものということもできず、新たな技術的事項を導入するものでないとはいえない。
エ　本件補正についての判断
　上記イの（ア）ないし（カ）の検討事項を総合すると、上記（カ）で検討した本件補正発明の構成Ｏは、当初明細書等に記載されたものではなく、当初明細書等の記載から自明の範囲内のものということもできない。
　してみると、本件補正は、当初明細書等のすべての記載を総合することにより導かれる技術的事項との関係において、新たな技術的事項を導入するものでないとはいえない。
オ　審判請求人が主張する本件補正の根拠について
（ア）　審判請求人による本件補正の根拠についての主張
　審判請求人は、令和２年１１月１８日に提出された意見書において、本件補正に関して、以下の主張を行っている。
「（１）請求項１の補正について
　「前記組み合わせ演出では、同一変動において、前記第１の表示演出の後に、前記第２の表示演出がおこなわれ、その後、前記第３の表示演出がおこなわれ、
前記第３の表示演出では、前記リーチ状態を形成する装飾図柄が前記第２の態様のときにおける前記第２の特定要素に含まれる文字を含む画像を、前記リーチ状態を形成する装飾図柄が表示される表示領域とは異なる領域に表示する
　例えば、本願では、図７６に示す特殊図柄変動演出Ｃでは、図７６（Ａ）、（Ｂ）において、数字図柄とキャラクタ画像とが付加され、数字図柄ごとに付加されるキャラクタが異なる構成である第３特殊装飾図柄８Ｌ，８Ｃ，８Ｒが表示されます（段落０４０４〜０４０５）。この場合、例えば、数字図柄が７であり、味方キャラクタ画像Ｄ４１が付加された装飾図柄が請求項における第１の態様の第１の装飾図柄に相当し、数字図柄６であり、敵キャラクタＤ４３が付加された装飾図柄が請求項における第１の態様の第２の装飾図柄に相当致します。
　また、図７６（Ｃ）において、数字図柄とキャラクタ画像と名前画像とが付加され、数字図柄ごとに付加されるキャラクタおよび名前画像とが異なる構成である第４特殊装飾図柄８Ｌ，８Ｃ，８Ｒが表示されます（段落０４０６）。この場合、例えば、数字図柄が７であり、味方キャラクタ画像Ｄ４１と名前画像Ｄ４２とが付加された装飾図柄が請求項における第２の態様の第１の装飾図柄に相当し、数字図柄が６であり、敵キャラクタ画像Ｄ４３と名前画像Ｄ４４とが付加された装飾図柄が請求項における第２の態様の第２の装飾図柄に相当致します。
　段落０４１５には、特殊図柄変動演出Ｃにおいて、装飾図柄８Ｌ，８Ｃ，８Ｒに含まれる要素を含む画像を用いて所定の演出（リーチ演出を含む）をおこなうようにしてもよいこと、当該所定の演出を第２図柄変動演出（図７６（Ｃ）の演出）の後におこなうようにしてもよいことが記載されております。
　また、「リーチ演出」が「
リーチ状態を形成する装飾図柄が表示される表示領域とは異なる領域
　その結果、本願の段落０２７２、０４１５、図６０（Ｅ）の記載を総合すれば、本願の主要構成部である「
前記リーチ状態を形成する装飾図柄が前記第２の態様のときにおける前記第２の特定要素に含まれる文字を含む画像を、前記リーチ状態を形成する装飾図柄が表示される表示領域とは異なる領域に表示する
（本願明細書：段落０２７２、０４００〜０４０７、０４１５、図６０（Ｅ）、図７６）。」
（イ）　審判請求人の主張に対する反論
　上記意見書の記載に基づくと、審判請求人は、本件補正発明の構成Ｏである「
前記リーチ状態を形成する装飾図柄が前記第２の態様のときにおける前記第２の特定要素に含まれる文字を含む画像を、前記リーチ状態を形成する装飾図柄が表示される表示領域とは異なる領域に表示する
　そこで、本−エに摘記した【０２６８】ないし【０２７２】の記載、本−オに摘記した図６０の記載を検討するに、それらの記載は、そもそも保留対応演出を説明するためのものであり、特殊図柄変動演出Ｃの説明のための記載である【０４００】ないし【０４０７】及び図７６の記載との関係が不明なものであるから、両者に記載された技術的事項を総合すること自体に無理があることは明らかである。
　そして、図６０の記載を検討すると、装飾図柄８Ｌ，８Ｃ，８Ｒがどのような態様であるのかが全く不明であり、また、【０２７２】の記載に基づくと、図６０（Ｅ）はスーパーリーチ演出である旨は記載されているものの、装飾図柄８Ｌ，８Ｃ，８Ｒがリーチ状態になっているとはいえないことから、図６０（Ｅ）に記載された態様が、本件補正発明の構成Ｌにおいて特定されている「第３の表示演出」が、「装飾図柄を用いたリーチ状態が形成されている場合に、」「おこなう演出」に関連する記載であるとは到底いえず、さらに、図６０のいずれの図面にも、「第２の特定要素に含まれる文字を含む画像」は記載されていない。
　したがって、【０４００】ないし【０４０７】、【０４１５】及び図７６の記載、【０２７２】及び図６０（Ｅ）の記載から、本件補正発明の構成Ｏは導き出せない。
　よって、審判請求人による本件補正の根拠についての主張を参酌しても、本件補正が、当初明細書等のすべての記載を総合することにより導かれる技術的事項との関係において、新たな技術的事項を導入するものではないとする根拠を見いだすことはできない。
カ　むすび
　以上のことから、本件補正は、当初明細書等のすべての記載を総合することにより導かれる技術的事項との関係において、新たな技術的事項を導入しないものであるとはいえない。
３　補正の却下の決定のむすび
　したがって、本件補正は、当初明細書等のすべての記載を総合することにより導かれる技術的事項との関係において、新たな技術的事項を導入しないものであるとはいえないことから、当初明細書等に記載された事項の範囲内においてしたものとはいえず、特許法第１７条の２第３項に規定する要件を満たしていないものであるから、本件補正は、同法第１５９条第１項の規定において読み替えて準用する同法第５３条第１項の規定により却下すべきものである。
　よって、前記［補正の却下の決定の結論］のとおり決定する。
第３　本願発明について
１　本願発明
　本件補正は、上記のとおり却下されたので、本願の請求項１及び２に係る発明は、審理時補正により補正された特許請求の範囲の請求項１及び２に記載されたとおりのものであり、分説してＡないしＮ及びＯ’の符号を付与すると、以下のとおりである（以下、それぞれの発明を、「本願発明１」、「本願発明２」という。）。
「【請求項１】
Ａ　複数種類の表示演出を実行可能な表示手段を備える遊技機であって、
Ｂ　前記複数の表示演出のうちの一つの演出として、第１の表示演出をおこなう場合があり、
Ｃ　前記複数の表示演出のうちの一つの演出として、第２の表示演出をおこなう場合があり、
Ｄ　前記複数の表示演出のうちの一つの演出として、第３の表示演出をおこなう場合があり、
Ｅ　前記第１の表示演出は、大当たりを識別するための第１の識別図柄を有する第１の装飾図柄と、大当たりを識別するための第２の識別図柄を有する第２の装飾図柄とを含む複数の装飾図柄を第１の態様で表示する演出であり、
Ｆ　前記第２の表示演出は、前記複数の装飾図柄を前記第１の態様とは異なる第２の態様で表示する演出であり、
Ｇ　前記複数の第１の態様の装飾図柄は、前記識別図柄とは異なる第１の特定要素を含み、
Ｈ　前記第１の態様の第１の装飾図柄と前記第１の態様の第２の装飾図柄では、それぞれ、含まれる前記第１の特定要素の種類が異なり、
Ｉ　前記複数の第２の態様の装飾図柄は、前記第１の態様の装飾図柄に含まれる前記第１の特定要素と、前記第１の態様に含まれない新たな第２の特定要素とを含み、
Ｊ　前記第２の特定要素は、少なくとも文字を含む要素で構成され、
Ｋ　前記第２の態様の第１の装飾図柄と前記第２の態様の第２の装飾図柄では、それぞれ、含まれる前記第２の特定要素の種類が異なり、
Ｌ　前記第３の表示演出は、装飾図柄を用いたリーチ状態が形成されている場合に、前記リーチ状態を形成する装飾図柄が前記第２の態様のときにおける前記第２の特定要素に含まれる文字を含む画像を用いた演出をおこなう演出であり、
Ｍ　前記第１の表示演出と前記第２の表示演出と前記第３の表示演出とを含む組み合わせ演出がおこなわれる場合があり、
Ｎ　前記組み合わせ演出では、同一変動において、前記第１の表示演出の後に、前記第２の表示演出がおこなわれ、その後、前記第３の表示演出がおこなわれる、
Ａ　ことを特徴とする遊技機。」
「【請求項２】　請求項１に記載の遊技機であって、
Ｏ’　前記組み合わせ演出の前記第３の表示演出において、前記リーチ状態を形成する装飾図柄が前記第２の態様のときにおける前記第２の特定要素に含まれる文字を含む画像を、前記リーチ状態を形成する装飾図柄が表示される表示領域とは異なる領域に表示する、
　ことを特徴とする遊技機。」
２　令和２年９月１５日付け拒絶理由通知における拒絶の理由
　令和２年９月１５日付け拒絶理由通知（以下、「当審拒絶理由通知」という。）における拒絶の理由の概要は以下のとおりである。
理由１：
　審理時補正において、特許請求の範囲に、上記の請求項２を追加する補正は、当初明細書等に記載した事項の範囲内においてしたものでないから、審理時補正は特許法第１７条の２第３項に規定する要件を満たしていない。
理由２：
　本願発明１は、本願の出願前に日本国内又は外国において頒布された又は電気通信回線を通じて公衆に利用可能となった下記の引用例１ないし４に記載された事項に基づいて、本願の出願前にその発明の属する技術の分野における通常の知識を有する者が容易に発明をすることができたものであるから、特許法第２９条第２項の規定により特許を受けることができない。
　　　　　　　　　　　　　　　　　　記
引用例１：特開２０１６−７３６５号公報
引用例２：「ＣＲ闘牌伝説アカギ」，パチンコ必勝ガイド　パチンコ年鑑２００９，株式会社白夜書房，平成２１年１月２５日，第２１巻，第３号，ｐ．９６
引用例３：「ＣＲジュラシックパークＭＡＸ」，パチンコ必勝ガイド　パチンコ年鑑２００９，株式会社白夜書房，平成２１年１月２５日，第２１巻，第３号，ｐ．１０４
引用例４：特開２００９−１８３３８２号公報
３　当審拒絶理由通知についての検討
（１）　理由１について
　本願発明２は、審理時補正により、新たに追加された発明であり、以下に示す審理時補正前の特許請求の範囲の請求項１に記載された事項によって特定される発明（以下「審理時補正前発明」という。）が審理時補正により補正された本願発明１の構成に、上記構成Ｏ’が付加されたものである。
審理時補正前発明
「複数種類の表示演出を実行可能な表示手段を備える遊技機であって、
　前記複数の表示演出のうちの一つの演出として、第１の表示演出をおこなう場合があり、
　前記複数の表示演出のうちの一つの演出として、第２の表示演出をおこなう場合があり、
　前記複数の表示演出のうちの一つの演出として、第３の表示演出をおこなう場合があり、
　前記第１の表示演出は、装飾図柄を第１の態様で表示する演出であり、
　前記第２の表示演出は、前記装飾図柄を前記第１の態様とは異なる前記第２の態様で表示する演出であり、
　前記第１の態様の装飾図柄は、大当たりを識別するための識別図柄と前記識別図柄とは異なる第１の特定要素とで少なくとも構成され、
　前記第２の態様の装飾図柄は、前記第１の態様の装飾図柄に含まれる前記第１の特定要素と、前記第１の特定要素とは異なる第２の特定要素とで少なくとも構成され、
　前記第２の特定要素は、少なくとも文字を含む要素で構成され、
　前記第３の表示演出は、装飾図柄を用いたリーチ状態が形成されている場合に、前記第２の特定要素に含まれる文字を含む画像を用いた演出をおこなう演出であり、
　前記第１の表示演出と前記第２の表示演出と前記第３の表示演出とを含む組み合わせ演出がおこなわれる場合があり、
　前記組み合わせ演出では、同一変動において、前記第１の表示演出の後に、前記第２の表示演出がおこなわれ、その後、前記第３の表示演出がおこなわれる、
　ことを特徴とする遊技機。」
　そして、本願発明２の構成Ｏ’のうち、「第２の特定要素に含まれる文字を含む画像を、」「リーチ状態を形成する装飾図柄が表示される表示領域とは異なる領域に表示する」点は、上記「第２」「［理由］」「２　補正の適否」「（２）　新規事項について」「ウ」「（カ）」において検討したように、当初明細書等に記載されたものではなく、当初明細書等の記載から自明な範囲内のものということもできず、当初明細書等のすべての記載を総合することにより導かれる技術的事項との関係において、新たな技術的事項を導入するものである。
　したがって、審理時補正は、当初明細書等に記載した事項の範囲内においてしたものでないから、特許法第１７条の２第３項に規定する要件を満たしておらず、本願は拒絶されるべきものである。
（２）　理由２について
ア　引用例１とそれに記載された事項
（ア）記載事項
　当審拒絶理由通知において、引用例１として引用された特開２０１６−７３６５号公報（以下、「引用例１」という。）には、以下の記載がある。
引１−ア
「【０００１】
　本発明は、識別図柄に対応する付随図柄が設定された
遊技機
引１−イ
「【００２０】
　まず、図１を参照して遊技機１の全体構成について簡単に説明する。
遊技機１
【００２１】
　遊技領域９０２には、第一始動入賞口９０４、第二始動入賞口９０５、大入賞口９０６、アウト口９０７などが設けられている。遊技盤９０に形成された開口９０１を通じて表示画面が視認可能である表示装置１０は、例えば液晶表示装置が用いられる。本実施形態では、
表示装置１０
種々の演出が実行される
付随図柄ステップアップ演出
実行
引１−ウ
「【００２４】
　
以下、表示装置１０を用いて実行される付随図柄ステップアップ演出について説明する。
【００２５】
　当否判定手段による当否判定結果（遊技者に有利な遊技を実行するか否か）は、識別図柄２０の組み合わせによって報知される。図２に示すように、本実施形態における
識別図柄２０は、「１」〜「５」の数字が付された図柄である（図では、丸の中に数字が付された図柄を識別図柄２０として示す）。また、本実施形態では、「１」〜「５」の識別図柄２０を含む識別図柄２０群は三つ設定されており、当否判定結果が報知される際に変動表示される。
【００２６】
　図２に示すように、
各識別図柄２０には、付随する付随図柄３０が設定されている。ここで、「付随」とは、識別図柄２０とともに変動する、という意味である。
【００２７】
本実施形態では、
各識別図柄２０に対応する付随図柄３０
レベルの異なる三つの形態の付随図柄３０（レベル１〜レベル３）が設定されている
付随図柄３０は、キャラクタ図柄３１および土台図柄３２
【００２８】
　
レベル１の付随図柄３０
は、
土台図柄３２を真正面から見た
態様であ
【００２９】
　レベル２および
レベル３の付随図柄３０
【００３０】
　また、レベルが上昇すると、土台図柄３２も遊技者が上方から見たような形態に変形していく。つまり、土台図柄３２のキャラクタ図柄３１が乗っている上面３２１の見える領域が大きくなっていく。レベル１の土台図柄３２では全く見えなかった
上面３２１が
レベル３の土台図柄３２
見える
【００３１】
　このような付随図柄３０を用いて付随図柄ステップアップ演出が実行される。本実施形態における
付随図柄ステップアップ演出は、
擬似連続演出と合わせて実行され
擬似連続演出は、ある一つの当否判定結果を報知するに際し、変動する識別図柄２０および付随図柄３０を一または複数回仮停止
させ
引１−エ
「【００３６】
　以下、図５および図６を参照して擬似連続演出とともに実行される付随図柄ステップアップ演出の具体例を説明する。仮に、上記図柄レベル決定処理において、最終的な付随図柄３０のレベルがＬｖ３となることが決定されたとする。つまり、擬似連続演出の連続回数が３回に決定されたとする。
【００３７】
　ある当否判定結果を報知するに際し、
識別図柄２０
付随図柄３０
変動を開始
付随図柄３０のレベルはＬｖ１
【００３８】
　所定時間変動した後、識別図柄２０および付随図柄３０が仮停止（仮停止（擬似停止）一回目）する（図５（ｂ）参照）。なお、本実施形態における仮停止は、識別図柄２０および付随図柄３０の少なくともいずれか一方が、微妙に揺動する態様の停止である。停止したかのように見せて識別図柄２０および付随図柄３０の少なくともいずれか一方が微妙に動いている態様のものであれば仮停止はどのような態様であってもよい。また、本実施形態では、いわゆる中リールの識別図柄２０および付随図柄３０が継続図柄４０に置き換わることにより、演出が継続することが遊技者に示される。ただし、これはあくまで例示である。例えば、演出を継続させる場合には、複数の識別図柄２０のうちの一部（例えば「５」の識別図柄２０）が中リールに仮停止した場合に、演出が継続するように設定されていてもよい。
【００３９】
　仮停止した時点またはその直前または直後に、付随図柄３０のレベルが上がる（Ｌｖ２となる）。つまり、あたかも遊技者からのアングルが変化したかのようにキャラクタ図柄３１および土台図柄３２の形態が変化する。そして、当該形態が変化した付随図柄３０（Ｌｖ２の付随図柄３０）が識別図柄２０とともに変動を開始する（図５（ｃ）参照）。このときの識別図柄２０および付随図柄３０の変動方向は、下から上に向かうもの（上スクロール）に変化する。つまり、仮停止前の付随図柄３０がＬｖ１であったときの変動態様と、付随図柄３０がＬｖ２であるときの変動態様は異なるものとなる。
【００４０】
　
所定時間変動した後、識別図柄２０および付随図柄３０が仮停止
Ｌｖ３
Ｌｖ３の付随図柄３０
が識別図柄２０とともに変動
【００４１】
　変動を開始した
Ｌｖ３の付随図柄３０と識別図柄２０のうち、左リールの図柄と右リールの図柄は互いに一致した
リーチ状態で停止し
リーチ演出
に移行する
引１−オ
「【図１】
」
引１−カ
「【図２】
」
引１−キ
「【図５】
」
引１−ク
「【図６】
」
（イ）認定事項
ａ　引用例１の【００２４】には、「以下、表示装置１０を用いて実行される付随図柄ステップアップ演出について説明する。」と記載され、同【００２５】には、「当否判定手段による当否判定結果（遊技者に有利な遊技を実行するか否か）は、識別図柄２０の組み合わせによって報知される。図２に示すように、本実施形態における識別図柄２０は、「１」〜「５」の数字が付された図柄である（図では、丸の中に数字が付された図柄を識別図柄２０として示す）。また、本実施形態では、「１」〜「５」の識別図柄２０を含む識別図柄２０群は三つ設定されており、当否判定結果が報知される際に変動表示される。」と記載され、同【００２６】には、「各識別図柄２０には、付随する付随図柄３０が設定されている。ここで、「付随」とは、識別図柄２０とともに変動する、という意味である。」と記載され、同【００２７】には、「レベルの異なる三つの形態の付随図柄３０（レベル１〜レベル３）が設定されている」点が記載されていることから、「
付随図柄ステップアップ演出は、「１」から「５」の数字が付された図柄である識別図柄２０に、レベルの異なる三つの形態の付随図柄３０が付随されて変動されるもの
ｂ　引用例１の【００３７】、【００４０】、図５及び図６を参照すると、「
表示装置１０にレベル１の付随図柄３０と識別図柄２０が表示され
、変動後レベル３の付随図柄３０と識別図柄２０が表示され
、その後変動され
イ　引用発明
　上記ア（ア）における摘記事項、及び、（イ）おける認定事項を総合すると、引用例１には以下の発明が記載されていると認められる。ａないしｎの符号は、本願発明１の構成ＡないしＮに対応させて合議体により付与したものである。
「ａ　種々の演出が実行される表示装置１０を有する遊技機１であって（【００２０】、【００２１】、図１）、
ｂ，ｃ，ｄ，ｅ，ｆ，ｇ，ｈ，ｉ　前記遊技機１は（【００２０】）、前記表示装置１０において付随図柄ステップアップ演出を実行するものであり（【００２１】）、
　前記付随図柄ステップアップ演出は、「１」から「５」の数字が付された図柄である識別図柄２０に、レベルの異なる三つの形態の付随図柄３０（レベル１〜レベル３）が付随されて変動されるものであり（認定事項ａ）、付随図柄３０（レベル１〜レベル３）は、各識別図柄２０に対応したキャラクタ図柄３１と土台図柄３２からなり（【００２７】）、レベル１の付随図柄３０は土台図柄３２を真正面から見た態様であり、レベル３の付随図柄３０は土台図柄３２の上面３２１が見える態様であり（【００２７】−【００３０】、図２、図５、図６）、
ｌ，ｍ，ｎ　前記付随図柄ステップアップ演出は、疑似連続演出と合わせて実行され（【００３１】）、前記疑似連続演出は、一つの当否判定結果を報知するに際し、変動する識別図柄２０および付随図柄３０を一または複数回仮停止させるものであり（【００３１】）、
　前記表示装置１０にレベル１の付随図柄３０と識別図柄２０が表示され、変動を開始し、変動後レベル３の付随図柄３０と識別図柄２０が表示され、その後変動され（認定事項ｂ）、
　レベル３の付随図柄３０と識別図柄２０のうち、左リールの図柄と右リールの図柄は互いに一致したリーチ状態で停止し、リーチ演出に移行する（【００４１】、図６）
ａ　遊技機１。」
ウ　対比
（ア）　本願発明１の構成Ａに関して
　引用発明の構成ａにおける「種々の演出が実行される表示装置１０を有する遊技機１」は、本願発明１の構成Ａにおける「複数種類の表示演出を実行可能な表示手段を備える遊技機」に相当する。
　よって、引用発明は、本願発明１の構成Ａに相当する構成を有する。
（イ）　本願発明１の構成Ｅに関して
　引用発明の構成ｂ，ｃ，ｄ，ｅ，ｆ，ｇ，ｈ，ｉにおける「「１」から「５」の数字が付された図柄である識別図柄２０」は、本願発明１の構成Ｅにおける「大当たりを識別するための第１の識別図柄」又は「大当たりを識別するための第２の識別図柄」に相当し、引用発明１の構成ｂ，ｃ，ｄ，ｅ，ｆ，ｇ，ｈ，ｉにおける「識別図柄２０」と「付随図柄３０（レベル１〜レベル３）」を合わせたものは、本願発明１の構成Ｅにおける「識別図柄」「を有する」「装飾図柄」に相当し、引用発明の構成ｂ，ｃ，ｄ，ｅ，ｆ，ｇ，ｈ，ｉにおける「識別図柄２０」に「レベル１の付随図柄３０」を付随させた図柄を表示することは、本願発明１の構成Ｅにおける「装飾図柄を第１の態様で表示する演出」に相当し、また、「第１の表示演出」に相当する。
　よって、引用発明は、本願発明１の構成Ｅに相当する構成を有する。
（ウ）　本願発明１の構成Ｆに関して
　引用発明の構成ｂ，ｃ，ｄ，ｅ，ｆ，ｇ，ｈ，ｉにおける「識別図柄２０」に「レベル３の付随図柄３０」を付随させた図柄を表示することは、本願発明１の構成Ｆにおける「装飾図柄を前記第１の態様とは異なる第２の態様で表示する演出」に相当し、また、「第２の表示演出」に相当する。
　よって、引用発明は、本願発明１の構成Ｆに相当する構成を有する。
（エ）　本願発明１の構成Ｇに関して
　引用発明の構成ｂ，ｃ，ｄ，ｅ，ｆ，ｇ，ｈ，ｉにおける「キャラクタ図柄３１」は、本願発明１の構成Ｇにおける「識別図柄とは異なる第１の特定要素」に相当し、引用発明の構成ｂ，ｃ，ｄ，ｅ，ｆ，ｇ，ｈ，ｉにおける「レベル１の付随図柄３０」が「各識別図柄２０に対応したキャラクタ図柄３１と土台図柄３２からな」ることは、本願発明１の構成Ｇにおける「第１の態様の装飾図柄は、」「識別図柄とは異なる第１の特定要素を含」むことに相当する。
　よって、引用発明は、本願発明１の構成Ｇに相当する構成を有する。
（オ）　本願発明１の構成Ｈに関して
　引用発明の構成ｂ，ｃ，ｄ，ｅ，ｆ，ｇ，ｈ，ｉにおける「キャラクタ図柄３１」が「各識別図柄２０に対応した」ものであることは、「キャラクタ図柄３１」が「識別図柄２０」に応じて異なるものであるから、本願発明１の構成Ｈにおける「前記第１の態様の第１の装飾図柄と前記第１の態様の第２の装飾図柄では、それぞれ、含まれる前記第１の特定要素の種類が異な」ることに相当する。
　よって、引用発明は、本願発明１の構成Ｈに相当する構成を有する。
（カ）　本願発明１の構成Ｉに関して
　引用発明のｂ，ｃ，ｄ，ｅ，ｆ，ｇ，ｈ，ｉにおける「レベル３の付随図柄３０」の「土台図柄３２の上面３２１」は、本願発明１の「前記第１の特定要素とは異なる第２の特定要素」に相当し、引用発明の「付随図柄３０は、各識別図柄２０に対応したキャラクタ図柄３１と土台図柄３２からなり、」「レベル３の付随図柄３０は土台図柄３２の上面３２１が見える態様であ」ることは、本願発明１の「第２の態様の装飾図柄は、」「第１の態様の装飾図柄に含まれる」「第１の特定要素と、前記第１の態様に含まれない新たな第２の特定要素とを含」むことに相当する。
　よって、引用発明は、本願発明１の構成Ｉに相当する構成を有する。
（キ）　本願発明１の構成Ｌに関して
　引用発明のｌ，ｍ，ｎにおける「レベル３の付随図柄３０と識別図柄２０のうち、左リールの図柄と右リールの図柄は互いに一致したリーチ状態で停止し、リーチ演出に移行する」演出において、レベル３の付随図柄３０は、構成ｂ，ｃ，ｄ，ｅ，ｆ，ｇ，ｈ，ｉにおいて特定されるように「土台図柄３２の上面３２１が見える態様であ」るから、「レベル３の付随図柄３０と識別図柄２０のうち、左リールの図柄と右リールの図柄は互いに一致したリーチ状態で停止し、リーチ演出に移行する」演出と、本願発明１の構成Ｌの「装飾図柄を用いたリーチ状態が形成されている場合に、前記リーチ状態を形成する装飾図柄が前記第２の態様のときにおける前記第２の特定要素に含まれる文字を含む画像を用いた演出をおこなう演出であ」る「第３の表示演出」とは、「装飾図柄を用いたリーチ状態が形成されている場合に、前記リーチ状態を形成する装飾図柄が前記第２の態様のときにおける前記第２の特定要素」「を用いた演出をおこなう」「演出」である点で一致し、当該演出は、「第１の表示演出」及び「第２の表示演出」とは異なるものであるから、「第３の表示演出」といえる点においても一致する。
　よって、本願発明１の構成Ｌと引用発明は、「第３の表示演出」が「装飾図柄を用いたリーチ状態が形成されている場合に、前記リーチ状態を形成する装飾図柄が前記第２の態様のときにおける前記第２の特定要素」「を含む画像を用いた演出をおこなう演出であ」る点で一致する。
（ク）　本願発明１の構成Ｂ、構成Ｃ、及び、構成Ｄに関して
　上記（イ）において検討したように、引用発明の構成ｂ，ｃ，ｄ，ｅ，ｆ，ｇ，ｈ，ｉにおける「識別図柄２０」に「レベル１の付随図柄３０」を付随させた図柄を表示する演出は、本願発明１の「第１の表示演出」に相当し、上記（ウ）において検討したように、引用発明の構成ｂ，ｃ，ｄ，ｅ，ｆ，ｇ，ｈ，ｉにおける「識別図柄２０」に「レベル３の付随図柄３０」を付随させた図柄を表示する演出は、本願発明１の「第２の表示演出」に相当し、上記（キ）において検討したように、引用発明のｌ，ｍ，ｎにおける「レベル３の付随図柄３０と識別図柄２０のうち、左リールの図柄と右リールの図柄は互いに一致したリーチ状態で停止し、リーチ演出に移行する」演出は、本願発明１の「第３の表示演出」に相当する。
　してみると、引用発明の構成ｌ，ｍ，ｎにおける「表示装置１０にレベル１の付随図柄３０と識別図柄２０が表示され、変動を開始し、変動後レベル３の付随図柄３０と識別図柄２０が表示され、その後変動され」、「レベル３の付随図柄３０と識別図柄２０のうち、左リールの図柄と右リールの図柄は互いに一致したリーチ状態で停止し、リーチ演出に移行する」ことは、本願発明１の構成Ｂ、構成Ｃ及び構成Ｄの「前記複数の表示演出のうちの一つの演出として、第１の表示演出をおこなう場合があり」、「前記複数の表示演出のうちの一つの演出として、第２の表示演出をおこなう場合があり」、「前記複数の表示演出のうちの一つの演出として、第３の表示演出をおこなう場合があ」ることに相当する。
　よって、引用発明は、本願発明１の構成Ｂ、構成Ｃ、及び、構成Ｄに相当する構成を有する。
（ケ）　本願発明１の構成Ｍ及び構成Ｎに関して
　引用発明の構成ｂ，ｃ，ｄ，ｅ，ｆ，ｇ，ｈ，ｉにおける「付随図柄ステップアップ演出」は、引用発明の構成ｌ，ｍ，ｎにおける「表示装置１０にレベル１の付随図柄３０と識別図柄２０が表示され、変動を開始し、変動後レベル３の付随図柄３０と識別図柄２０が表示され、その後変動され」、「レベル３の付随図柄３０と識別図柄２０のうち、左リールの図柄と右リールの図柄は互いに一致したリーチ状態で停止し、リーチ演出に移行する」演出であり、上記（ク）においても検討したように、引用発明における「識別図柄２０」に「レベル１の付随図柄３０」を付随させた図柄を表示する演出は、本願発明１の「第１の表示演出」に相当し、引用発明における「識別図柄２０」に「レベル３の付随図柄３０」を付随させた図柄を表示する演出は、本願発明１の「第２の表示演出」に相当し、引用発明における「レベル３の付随図柄３０と識別図柄２０のうち、左リールの図柄と右リールの図柄は互いに一致したリーチ状態で停止し、リーチ演出に移行する」演出は、本願発明１の「第３の表示演出」に相当することから、上記「付随図柄ステップアップ演出」は、本願発明１の構成Ｍにおける「前記第１の表示演出と前記第２の表示演出と前記第３の表示演出とを含む組み合わせ演出」に相当する。
　また、引用発明の構成ｌ，ｍ，ｎにおける「付随図柄ステップアップ演出」が「疑似連続演出と合わせて実行され」「、前記疑似連続演出は、一つの当否判定結果を報知するに際し、変動する識別図柄２０および付随図柄３０を一または複数回仮停止させる」ことは、「付随図柄ステップアップ演出」も「一つの当否判定結果を報知する」間に行われるものと認められることから、本願発明１の構成の構成Ｎにおける「前記組み合わせ演出では、同一変動において、前記第１の表示演出の後に、前記第２の表示演出がおこなわれ、その後、前記第３の表示演出がおこなわれ」ることに相当する。
　よって、引用発明は、本願発明１の構成Ｍ及び構成Ｎに相当する構成を有する。
　以上のことから、本願発明１と引用発明は、以下の点で一致する。
＜一致点＞
Ａ　複数種類の表示演出を実行可能な表示手段を備える遊技機であって、
Ｂ　前記複数の表示演出のうちの一つの演出として、第１の表示演出をおこなう場合があり、
Ｃ　前記複数の表示演出のうちの一つの演出として、第２の表示演出をおこなう場合があり、
Ｄ　前記複数の表示演出のうちの一つの演出として、第３の表示演出をおこなう場合があり、
Ｅ　前記第１の表示演出は、大当たりを識別するための第１の識別図柄を有する第１の装飾図柄と、大当たりを識別するための第２の識別図柄を有する第２の装飾図柄とを含む複数の装飾図柄を第１の態様で表示する演出であり、
Ｆ　前記第２の表示演出は、前記複数の装飾図柄を前記第１の態様とは異なる第２の態様で表示する演出であり、
Ｇ　前記複数の第１の態様の装飾図柄は、前記識別図柄とは異なる第１の特定要素を含み、
Ｈ　前記第１の態様の第１の装飾図柄と前記第１の態様の第２の装飾図柄では、それぞれ、含まれる前記第１の特定要素の種類が異なり、
Ｉ　前記複数の第２の態様の装飾図柄は、前記第１の態様の装飾図柄に含まれる前記第１の特定要素と、前記第１の態様に含まれない新たな第２の特定要素とを含み、
Ｌ’　前記第３の表示演出は、装飾図柄を用いたリーチ状態が形成されている場合に、前記リーチ状態を形成する装飾図柄が前記第２の態様のときにおける前記第２の特定要素を含む画像を用いた演出をおこなう演出であり、
Ｍ　前記第１の表示演出と前記第２の表示演出と前記第３の表示演出とを含む組み合わせ演出がおこなわれる場合があり、
Ｎ　前記組み合わせ演出では、同一変動において、前記第１の表示演出の後に、前記第２の表示演出がおこなわれ、その後、前記第３の表示演出がおこなわれる
Ａ　遊技機。」
　そして、両者は、以下の点で相違する。
＜相違点１＞（構成Ｊ、Ｋに関して）
　第２の特定要素に関して、
　本願発明１は、第２の特定要素が、少なくとも文字を含む要素で構成され、第２の態様の第１の装飾図柄と第２の態様の第２の装飾図柄では、それぞれ、含まれる第２の特定要素の種類が異なるのに対して、
　引用発明は、第２の特定要素に相当する「土台図柄３２の上面」には、文字が含まれておらず、さらに、文字が含まれていないことから、「レベル３の付随図柄３０と識別図柄２０」における「識別図柄２０」の図柄の数字に応じて、「土台図柄３２の上面」（第２の特定要素）の種類が異なるものではない点。
＜相違点２＞（構成Ｌに関して）
　装飾図柄を用いたリーチ状態が形成されている場合に、第３の表示演出を行うにあたって、
　本願発明１は、前記リーチ状態を形成する装飾図柄が第２の態様のときにおける第２の特定要素に含まれる文字を含む画像を用いた演出を行うことによって第３の表示演出を行うのに対して、
　引用発明は、「土台図柄３２の上面」（第２の特定要素）には、文字が含まれていないことから、文字を含む画像を用いた演出を行うものではない点。
エ　検討
（ア）　相違点１について
　当審拒絶理由通知において、引用例２として引用された「「ＣＲ闘牌伝説アカギ」，パチンコ必勝ガイド　パチンコ年鑑２００９，株式会社白夜書房，平成２１年１月２５日，第２１巻，第３号」には、ｐ．９６に以下の図面（以下、「引用例２の図面」という。）が掲載されている。
　また、同じく引用例３として引用された「「ＣＲジュラシックパークＭＡＸ」，パチンコ必勝ガイド　パチンコ年鑑２００９，株式会社白夜書房，平成２１年１月２５日，第２１巻，第３号」には、ｐ．１０４に以下の図面（以下、「引用例３の図面」という。）が掲載されている。
　上記した引用例２の図面には、「確変図柄」を示す「１」ないし「９」の数字を含む図柄には、「平山」、「赤木」など、各々異なるキャラクタの名前が漢字で付されている態様が記載されており、上記した引用例３の図面には、「確変図柄」を示す「１」ないし「８」の数字を含む図柄には、「ＢＲＡＣＨＩＯ」、「Ｔ−ＲＥＸ」など、各々異なるキャラクタの名前がアルファベットで付されていることから、遊技機において、装飾図柄に付加される文字を、装飾図柄の数字に対応させて異ならせること（装飾図柄の態様により、それぞれ含まれる「文字を含む要素」の種類を異なるものとすること）は、本願出願前周知の事項である。
　したがって、引用発明において、上記本願出願前周知の事項を適用し、「土台図柄３２の上面」の表示に加えて、数字に対応した「キャラクタの名前」を表示することにより、本願発明の上記相違点１に係る構成を成すことは、当業者が容易に想到し得る程度のことである。
（イ）　相違点２について
　当審拒絶理由通知において、引用例４として引用された特開２００９−１８３３８２号公報（以下、「引用例４」という。）には、以下の記載がある。
引４−ア
「【０００１】
　本発明は、パチンコ機やパチスロ機などの遊技機に係り、特に、これらの遊技機による遊技が行われていないときに所定のデモンストレーションを報知する機能を備えた
遊技機
引４−イ
「【００６１】
　図１０は、これら３つの画面モードのうち、通常状態時に選択される画面モード（
通常モード
演出図柄
　なお、このように画面モードが変化した場合は、その画面モードの種類に合わせてＢＧＭなどの効果音や表示ランプの点滅パターンなども変化するようになっており、遊技者は、視覚のみならず聴覚などを通じてその状態が把握できるようになっている。
【００６２】
　一方、「（Ｄ）確変小当り（時短機能なし）」および「（Ｅ）通常（非確変）小当り（時短機能なし）」のいずれかに当選した場合は、前述したようにその「小当り」の種類によってその後の遊技状態が大きく異なるにも拘わらず、いずれの場合もその画面モードは「
チャンスモード
　この「チャンスモード」なる画面モードは、例えば図１１に示すように、前記図１０に示した「通常状態」の画面モードや「高確率状態」の画面モードなどとは、明らかに異なるデザインやキャラクターからなる演出図柄が採用されており、原則として遊技者は、その画面モードからでは、その「小当り」が、遊技者にとって有利な「（Ｄ）確変小当り」に当選したことにより移行したものなのか、あるいは「（Ｅ）通常（非確変）小当り」に当選したことにより移行したものなのかの判別がし難い画像（演出図柄）から構成されている。」
引４−ウ
「【図１０】
」
引４−エ
「【図１１】
」
　上記した段落【００６１】、【００６２】の記載より、引用例４には、遊技機における演出図柄として、通常モードの演出図柄と、チャンスモードの演出図柄が設定されており、図１０に示した通常モードの演出図柄、図１１に示したチャンスモードの演出図柄において、それぞれの演出図柄は、数字を表す図柄と、キャラクターを表す図柄を含む点が読み取れ、さらに、図１１に示したチャンスモードの演出図柄には、数字を表す図柄と、キャラクターを表す図柄のほかに「SENGOKU OTOME」の文字の図柄が付加されている点が読み取れる。
　したがって、引用例４には、
「数字を表す図柄とキャラクターを表す図柄を含む通常モードの演出図柄と、数字を表す図柄とキャラクターを表す図柄と「SENGOKU OTOME」の文字の図柄を含むチャンスモードの演出図柄が表示される遊技機」
（以下、「引用例４記載事項」という。）
が記載されていると認められる。
　そして、引用例４記載事項と本願発明１の上記相違点２に係る構成とを対比すると、引用例４記載事項の「キャラクターを表す図柄と「SENGOKU OTOME」の文字の図柄」、「「SENGOKU OTOME」の文字の図柄」は、それぞれ、本願発明１の上記相違点２に係る構成の「少なくとも文字を含む要素で構成され」た「第２の特定要素」、「第２の特定要素に含まれる文字を含む画像」に相当する。
　ここにおいて、引用発明、引用例４記載事項は、いずれも、識別図柄に付随図柄を付随させて変動表示を行う遊技機という共通の技術分野に属するものであるから、引用発明において、引用例４記載事項を適用し、リーチ演出に移行する演出において、文字を含む画像を用いた演出が行われるようにし、本願発明１の上記相違点２に係る構成とすることは、当業者が容易に想到し得ることである。
　さらに、本願発明１の作用効果は、引用発明、引用例４記載事項、及び、本願出願前周知の事項に基づいて当業者が予測できる範囲のものであり、格別なものではない。
オ　理由２についてのむすび
　したがって、本願発明１は、引用発明１、引用例４記載事項、及び、本願出願前周知の事項に基づいて当業者が容易に発明をすることができたものであるから、特許法第２９条第２項の規定により特許を受けることができない。
４　むすび
　以上のことから、本願において、審理時補正は、当初明細書等に記載した事項の範囲内においてしたものでないから、当該補正は特許法第１７条の２第３項に規定する要件を満たしていない。
　また、本願発明１は、引用発明１、引用例４記載事項、及び、本願出願前周知の事項に基づいて当業者が容易に発明をすることができたものであるから、特許法第２９条第２項の規定により特許を受けることができない。
　したがって、本願は拒絶すべきものである。
　よって、結論のとおり審決する。